(57)【特許請求の範囲】
【請求項１】
転動面を転動する転がり材と、
前記転がり材を備えて建物を支持する支承本体と、
前記支承本体と前記転動面との間で前記転がり材の周囲を覆い、上端を前記支承本体に取り付けて下端を前記転動面に当接させた弾性を有するカバー部材と、
を備え、
前記支承本体と前記転動面と前記カバー部材とに囲まれた閉塞領域に粘性を有する潤滑材が封入され、
前記支承本体には、前記転がり材の転動部を露出させると共に、底盤に溝が形成された外部ケースが設けられ、
前記カバー部材は、その上端がシール材を介して前記溝に挟み込まれて固定されていることを特徴とする建物免震用支承構造。
【請求項２】
前記潤滑材は、グリース材であることを特徴とする請求項１に記載の建物免震用支承構造。
【請求項３】
前記カバー部材には、前記潤滑材の注入するための注入孔が設けられていることを特徴とする請求項１又は２に記載の建物免震用支承構造。
【発明の詳細な説明】
【技術分野】
【０００１】
本発明は、住宅などの建物の免震構造に使用される建物免震用支承構造に関する。
【背景技術】
【０００２】
従来、住宅などの軽量建物に構築されている免震構造は、ボールベアリングとその転動面をなす鋼板とを使用した転がり支承が実施される場合が多い。通常、この転がり支承は、粉塵の発生が極めて多い建物の基礎に設置されており、粉塵が支承構造に付着して機能を低下させていた。このような粉塵からボールベアリングを保護するために転がり支承にカバー部材を取り付けた支承構造が、例えば特許文献１及び特許文献２に開示されている。
特許文献１は、基礎の上面に摺動面をなす支持板を設け、この支持板と建物との間にボールベアリングを備えて建物を支持する転がり支承が設けられている。そして、転動面を覆う略スカート状のカバー部材を転がり支承に取り付け、その内側中央にボールベアリングを位置させている。このカバー部材の下端部は、転動面に固定させずに摺動可能に設けている。このような構造により、カバー部材の内部に異物や水の浸入を防ぐことができるとしている。
特許文献２は、構造物の下面及び基礎の上面に転動面をなす支持板を設け、この支持板同士の間にボールベアリングを設けることで、構造物が支持されている。そして、両支持板には、ボールベアリングの周囲を密閉するように変形可能な材質からなるカバー体が固定されている。これにより、カバー体の内側の防塵性及び防水性の向上を図ったものである。
【特許文献１】特開平１０−３０６６１７号公報
【特許文献２】特開平９−２６８７９７号公報
【発明の開示】
【発明が解決しようとする課題】
【０００３】
しかしながら、上述した特許文献１及び特許文献２及び従来の転がり支承が設置されている箇所は、基礎と建物外壁とに囲まれて設置されていることから、風雨にさらされることは少ないが、建物最下層の床下の湿度は一般的に高くなっている。このため、鋼材からなるボールベアリングは、結露などにより水が付着して錆が発生してボールベアリングの回転負荷が大きくなっている。このため、転がり支承の免震性能が低下するという問題があった。
また、ボールベアリングの防錆対策としてメッキ処理させる方法が考えられる。しかし、ボールベアリングの転動時に被覆したメッキ層に傷が付き、はがれ落ちるなど耐久性に欠点があり、ボールベアリングの転動機能を低下させるという問題があった。
【０００４】
本発明は、上述する問題点に鑑みてなされたもので、転がり材の防錆性能を向上させて耐久性を増し、支承構造の免震性能を向上させた建物免震用支承構造を提供することを目的とする。
【課題を解決するための手段】
【０００５】
上記目的を達成するため、本発明に係る建物免震用支承構造では、転動面を転動する転がり材と、転がり材を備えて建物を支持する支承本体と、支承本体と転動面との間で転がり材の周囲を覆い、上端を支承本体に取り付けて下端を転動面に当接させた弾性を有するカバー部材とを備え、支承本体と転動面とカバー部材とに囲まれた閉塞領域に粘性を有する潤滑材が封入され、支承本体には、転がり材の転動部を露出させると共に、底盤に溝が形成された外部ケースが設けられ、カバー部材は、その上端がシール材を介して溝に挟み込まれて固定されていることを特徴としている。
本発明では、転がり材は、周囲に潤滑材が満たされ被覆されていて空気に接することがないため、転がり材に結露が発生して水が付着することがなくなり、防錆性能を向上させることができる。
そして、潤滑材が、カバー部材と転動面との当接面から流出しにくくなり、粉塵や水が閉塞領域に浸入することを防止できる。
【０００６】
また、本発明に係る建物免震用支承構造では、潤滑材は、グリース材であることが好ましい。
【０００７】
また、本発明に係る建物免震用支承構造では、カバー部材には、潤滑材の注入するための注入孔が設けられていることが好ましい。
【発明の効果】
【０００８】
本発明の建物免震用支承構造によれば、転がり材は、周囲に潤滑材が満たされ被覆されていて空気に接することがなく、転がり材に結露が発生して水が付着することがなく、防錆性能を向上させることができる。
したがって、従来のような転がり材にメッキ処理を行うことなく、支承本体の耐久性を高めることができ、転動負荷が増大せず支承構造の免震性能を向上させることができる。
【発明を実施するための最良の形態】
【０００９】
以下、本発明の実施の形態について、図１乃至図３に基づいて説明する。
図１は本発明の実施の形態による支承構造を示す側面図、図２は転がり支承の構造を示す部分縦断面図、図３は図１に示す支承構造のＡ−Ａ線断面図である。
【００１０】
図１に示すように、本実施の形態による支承構造１は、例えば住宅などの建物の免震構造に使用され、建物の躯体２の下部２ａに固定されている。そして、基礎３の上面には、転動面４ａを有する平板状の転動鋼板４が設けられている。
【００１１】
図１に示すように、支承構造１は、建物の躯体２を下方より支持し、転動面４ａを転動可能に設けた転がり支承５（支承本体）を備えている。図２に示すように、この転がり支承５は、転動面４ａを転動するボールベアリングなどの球体をなす転がり材５１と、転がり材５１を回転可能に支持するベアリング部材５２と、略箱型の枠体をなし転がり材５１の転動部５１ａを露出させてベアリング部材５２を覆った外部ケース５３とから構成されている。
転がり材５１とベアリング部材５２との間に第一シール材５２ａが設けられ、両者５１、５２が液密な状態となっている。また、外部ケース５３とベアリング部材５２との接続は、例えばパッキン（図示省略）などを噛ませて液密に接合させておく。
【００１２】
図１及び図２に示すように、外部ケース５３と転動面４ａとの間には、転がり材５１の周囲を密閉するように覆われていて、平面視でリング状をなす筒状のリング部材６（カバー部材）が設けられている。このリング部材６は、例えば耐油性の高いニトリルゴムなどの材料が好ましいが、これに同等の機能、耐久性を有する素材であればこの材料に限定されることはない。
図２に示すように、外部ケース５３の底盤５３ａには、リング部材６と略同径のリング状の溝５３ｂが形成されている（図３参照）。そして、この溝５３ｂには、第二シール材７を介してリング部材６の上端６ａが挟み込まれるように固定されている。また、リング部材６の下端６ｂは、リング部材６の自重とゴムの弾性により転動面４ａに液密に当接されている。
このような構造をなすリング部材６は、転がり支承５が水平移動したときに、転動面４ａに当接した状態を維持したまま、転がり支承５と共に水平移動する。
【００１３】
図１に示すように、本支承構造１には、リング部材６と転がり材５１とベアリング部材５２と外部ケース５３と転動面４ａとに囲まれた閉塞領域Ｍが形成されている。この閉塞領域Ｍには、例えばシリコングリースなどの耐久性に優れ粘性を有するグリース材８（潤滑材）が封入されている。
このグリース材８は、転がり材５１に回転負荷を与えることがないため、転がり材５１の転動が妨げられることはない。また、グリース材８は、粘性があるため閉塞領域Ｍから外方に流出することはない。
なお、リング部材６又は転がり支承５にグリース材８の注入孔（図示省略）を設けておくことが好ましく、この注入孔を使用して閉塞領域Ｍにグリース材８を充填させることができる。
【００１４】
上述した本実施の形態による建物免震用支承構造では、転がり材５１は、周囲にグリース材８が満たされ被覆されていて空気に接することがないため、転がり材５１に結露が発生して水が付着することがなく、防錆性能を向上させることができる。したがって、従来のような転がり材５１にメッキ処理を行うことなく転がり支承５の耐久性を高めることができ、転動負荷が増大せず支承構造の免震性能を向上させることができる。
また、本実施の形態による建物免震用支承構造では、リング部材６を転がり支承５に固定して転動面４ａに当接させることで密閉された閉塞領域Ｍが形成されているため、転がり材５１及び転動面４ａにおける防塵性や防水性を向上させることができる。
【００１５】
以上、本発明による建物免震用支承構造の実施の形態について説明したが、本発明は上記の実施の形態に限定されるものではなく、その趣旨を逸脱しない範囲で適宜変更可能である。
例えば、実施の形態ではグリース材８にシリコングリースを使用しているが、必ずしもこの材料に限定されることはない。要は、グリース材８は、粘性を有する潤滑材であって、転がり材５１の転動を妨げることのないように閉塞領域Ｍに充填されていればよいのである。
また、実施の形態では外部ケース５３の底盤５３ａにリング部材６の上端６ａを固定させているが、必ずしもこの固定位置に限定されることはなく、例えば外部ケース５３の側面やベアリング部材５２に上端６ａを固定させてもかまわない。
さらに、実施の形態ではリング部材６は平面視リング状をなしているが、他の形状であってもよく、例えば平面視において四角形などの多角形に形成されていてもよい。また、リング部材はゴム製の材料に限定されることはなく、例えば鋼板などの材料であってもかまわない。そして、本実施の形態のように一体化された形状に限定されず、密閉度が保たれる状態であればどのように分割されていてもよい。要は、実施の形態で示したように、転がり支承５と転動面４ａとの間で、閉塞領域Ｍが確保できる部材であればよいのである。
【図面の簡単な説明】
【００１６】
【図１】本発明の実施の形態による支承構造を示す側面図である。
【図２】転がり支承の構造を示す部分縦断面図である。
【図３】図１に示す支承構造のＡ−Ａ線断面図である。
【符号の説明】
【００１７】
１  支承構造
４  転動鋼板
４ａ  転動面
５  転がり支承（支承本体）
５１  転がり材
５３  外部ケース
６  リング部材（カバー部材）
８  グリース材（潤滑材）
Ｍ  閉塞領域
【図１】
0004779162.tif 000002
【図２】
0004779162.tif 000003
【図３】
0004779162.tif 000004